(57)【要約】      （修正有）【課題】耕耘装置の上方を覆う耕耘カバーが周辺物等との接触により破損しても、耕耘カバー自体を交換することなく安価に修理が行なえるようにする。【解決手段】耕耘カバー１８の左右両端部を、その中央部１８ｃに対して段差状に形成することによって、耕耘カバー１８の左右両端部のみならず、該耕耘カバー１８全体の剛性を向上させ、更に周辺物等との接触によりキズや破損が生じ易い耕耘カバー１８の左右両端部に、合成樹脂製の保護部材３８Ｌ，３８Ｒを着脱自在に取り付けることによって、この保護部材３８Ｌ，３８Ｒにキズや破損が生じた場合には、容易に交換できるようにすると共に耕耘カバー１８全体の軽量化を図った。【選択図】図２
2010233492.tif 000002
【特許請求の範囲】
【請求項１】
車輪（４）の前方に配置して圃場の耕耘作業を行なう耕耘装置（５）と、該耕耘装置（５）の前方に配置して圃場に接地することにより耕耘深さを調整する接地輪（２１）と、前記耕耘装置（５）の上方を覆う耕耘カバー（１８）を備えた歩行型管理機において、前記耕耘カバー（１８）の左右両端部（１８Ｌ，１８Ｒ）を、その中央部（１８ｃ）に対して段差状に形成すると共に、当該左右両端部（１８Ｌ，１８Ｒ）に合成樹脂製の保護部材（３８Ｌ，３８Ｒ）を着脱自在に取り付けたことを特徴とする歩行型管理機。
【発明の詳細な説明】
【技術分野】
【０００１】
本発明は、耕耘装置を備える歩行型管理機に係り、詳しくは耕耘装置の耕耘軸に取り付けた耕耘爪の上方を覆う耕耘カバーの構成に関する。
【背景技術】
【０００２】
従来、側面視で逆へ字状のミッションケースを機体の中央に配設し、このミッションケースの後側下部に車軸を軸架して走行車輪を取り付ける一方、ミッションケースの前側下部に耕耘装置を構成する複数の耕耘爪を植設した耕耘軸を横架し、且つ前記耕耘爪の上方を覆う耕耘カバーを設けた歩行型管理機が知られている（例えば、特許文献１参照）。
【先行技術文献】
【特許文献】
【０００３】
【特許文献１】特開２００６−２６２７５６号公報（第４頁、図１）
【発明の概要】
【発明が解決しようとする課題】
【０００４】
しかし、上述した従来の歩行型管理機では、耕耘カバーが一体的に成形されているので、耕耘カバーの一部が周辺物等との接触により破損した場合は、耕耘カバー自体を交換しなければならないことが多く、修理費用が高くなるといった欠点を有していた。
また、耕耘カバーは、一般的に鉄板を用いてプレス成形されており、小型の歩行型管理機においては更なる軽量化が望まれていた。
【課題を解決するための手段】
【０００５】
本発明は、上記課題を解決することを目的としたものであり、車輪の前方に配置して圃場の耕耘作業を行なう耕耘装置と、該耕耘装置の前方に配置して圃場に接地することにより耕耘深さを調整する接地輪と、前記耕耘装置の上方を覆う耕耘カバーを備えた歩行型管理機において、前記耕耘カバーの左右両端部を、その中央部に対して段差状に形成すると共に、当該左右両端部に合成樹脂製の保護部材を着脱自在に取り付けたことを特徴としている。
【発明の効果】
【０００６】
本発明によれば、耕耘カバーの左右両端部を、その中央部に対して段差状に形成することによって、耕耘カバーの左右両端部のみならず、該耕耘カバー全体の剛性を向上させることができ、更に周辺物等との接触によりキズや破損が生じ易い耕耘カバーの左右両端部に、合成樹脂製の保護部材を着脱自在に取り付けることによって、この保護部材にキズや破損が生じた場合は、容易に交換することができるようになり、修理費が安価になると共に耕耘カバー全体の軽量化も図れる。
【図面の簡単な説明】
【０００７】
【図１】歩行型管理機の側面図。
【図２】歩行型管理機の平面図。
【図３】（ａ），（ｂ）ロータリ耕耘装置の構成示す正断面図と部分側面図。
【図４】（ａ），（ｂ）ロータリカバーの正面図と平面図。
【図５】保護部材の平面図。
【発明を実施するための形態】
【０００８】
以下、本発明の実施の形態を図面に基づいて詳細に説明する。
【実施例１】
【０００９】
図１及び図２は、歩行型管理機１の側面図と平面図であって、歩行型管理機１は、側面視で逆へ字状のミッションケース２を機体の中央に配設してあり、このミッションケース２の後側下部に車軸３を軸架して走行車輪４を取り付ける一方、ミッションケース２の前側下部には、ロータリ耕耘装置５を構成する複数の耕耘爪６を植設した耕耘軸７を横架している。
【００１０】
また、ミッションケース２の上部に取付けたエンジンフレーム８にエンジン９を載置すると共に、このエンジン９の左側に配設した箱蓋状のカバー体１１によって、エンジン９の動力を出力する出力プーリ、ミッションケース２の入力プーリ、及び両プーリに巻き掛けたＶベルトからなるベルト伝動装置が露出しないように覆われている。そして、ミッションケース２内に入力された動力は、当該ミッションケース２内の変速機構を介して変速された後、走行車輪４やロータリ耕耘装置５に伝達されるようになっている。
【００１１】
また、ミッションケース２の後部には、ハンドルフレーム１２を介して、後方斜め上方に向けてループ状の操縦ハンドル１３を延設してあって、この操縦ハンドル１３をオペレータが把持した状態で歩行型管理機１を走行させながら、ロータリ耕耘装置５の耕耘爪６を回転駆動させることによって耕耘作業が行えるようになっている。尚、操縦ハンドル１３は、その基端部に設けたノブ付ボルト等からなる角度調節装置１４を備えており、オペレータが運転操作し易いように操縦ハンドル１３の角度を任意に調節したり、歩行型管理機１を運搬したり格納する際は、操縦ハンドル１３を折畳むことができるように構成すると共に、ミッションケース２から後方斜め上方に向けて突設した主変速レバー１５を、その中途部Ａから取り外すことができるようにしてある。
【００１２】
そして、エンジン９の上部には、燃料タンク１６を配設すると共に、この燃料タンク１６の周囲を覆うプラスチック製のエンジンカバー（ボンネット）１７を取付けている。また、ロータリ耕耘装置５の耕耘爪６の上方には、該耕耘爪６先端の回転軌跡Ｔの上方を覆うロータリカバー（耕耘カバー）１８を設けている。尚、ミッションケース２の前側下部には、扇状プレート１９が取り付けてあり、この扇状プレート１９を介して高さ調節自在にゲージ輪２１が装着している。即ち、ゲージ輪２１の高さ位置を調節することによって、ロータリ耕耘装置５の耕深調節を行なうと共に、路上走行等の移動時においては、当該ゲージ輪２１を走行用の補助輪として使用できるように構成している。
【００１３】
次に、ロータリ耕耘装置５の構成を、図３（ａ），（ｂ）に示すロータリ耕耘装置５の正断面図と部分側面図に基づいて説明する。上述した耕耘軸７は、ミッションケース２の前側下部から左右に突出し、その回転が正転方向の単一の軸からなる長い第１ロータリ軸７ａと、該第１ロータリ軸７ａに同軸状に被嵌すると共に、回転が逆転方向となる左右一対の第２ロータリ軸７ｂ，７ｂとで構成している。
【００１４】
そして、ミッションケース２の前側中央には、該ミッションケース２内の変速機構を介して変速された動力をロータリ耕耘装置５に伝達するチェン２２が、第１ロータリ軸７ａの中央に嵌着したスプロケット２３に張設されており、該スプロケット２３の左右両側に一体または別体に設けた一対のウォームギヤ２４，２４が第１ロータリ軸７ａと共に回転し、次いで両ウォームギヤ２４，２４に歯合するウォームギヤ２５，２５を介して第２ロータリ軸７ｂ，７ｂに動力が伝達されるので、該第２ロータリ軸７ｂ，７ｂは、正転方向に回転する第１ロータリ軸７ａに対して回転方向が逆になり、逆転方向に回転するようになる。
【００１５】
更に、第１ロータリ軸７ａの左右両端側に連結ピン２６，２６を用いて一対のスリーブ２７，２７を延設すると共に、各スリーブ２７，２７の左右両側周面には、側面視で略正三角形のブラケット２７ａ，２７ｂが溶接してあり、これらブラケット２７ａ，２７ｂの３箇所の頂点に相当する外周部位には、締結手段であるボルト２８とナット２９を用いて耕耘量の多い正転爪（例えば泥土との接触面積の多いナタ爪）６ａ，・・・を装着している。
【００１６】
前記正転爪６ａ，・・・は、その先端側が正面視で湾曲した形状であると共に、各スリーブ２９，２９の両側から正転爪６ａ，・・・の曲部分が対向する状態に装着されている。また、各スリーブ２９，２９の内側のブラケット２７ａには、２本の正転爪（ナタ爪）６ａ，６ａの湾曲部が反対側を向く状態、即ち背中合わせ状態で締結手段であるボルト２８とナット２９を用いて共締めされている。
【００１７】
更に、第２ロータリ軸７ｂ，７ｂの周面部にも、側面視で略正三角形のブラケット３１が溶接してあり、このブラケット３１の３箇所の頂点に相当する外周部位には、締結手段であるボルト２８とナット２９を用いて耕耘量の少ない逆転爪（例えば泥土との接触面積の少ない直爪）６ｂ，・・・を装着している。そして、逆転爪６ｂ・・・は、その形状をクランク状に形成すると共に、先端側の直線部分が互いに内側に向くようにブラケット３１に装着してあり、逆転爪６ｂ・・・が回転する時は、その先端側がミッションケース２の左右の側壁に近い部分を通過するようになっている。
【００１８】
即ち、ロータリ耕耘装置５の耕耘爪６（６ａ，６ｂ）は、内側が逆回転して耕耘量の少ない逆転爪（直爪）６ｂ・・・で構成しており、この逆転爪６ｂ・・・の回転による前方への飛散土は少なく、且つ、ミッションケース２の左右の側壁に付着しようとする耕耘土も取り除くことができる一方、左右両側が正回転して耕耘量の多い正転爪（ナタ爪）６ａ・・・で構成しており、ダッシングの防止と耕耘量のバランスを図りながら機体を前進走行させて安定した耕耘作業を行うことができる。
【００１９】
また、図４（ａ），（ｂ）は、第１ロータリ軸７ａに取り付けた正転爪６ａ・・・と、第２ロータリ軸７ｂに取り付けた逆転爪６ｂ・・・の上方を覆うロータリカバー１８の正面図と平面図であって、ロータリカバー１８は、平面視で左右方向に長い略方形状に形成されており、その前側中央部に運搬用の取っ手３６を取り付けるための左右方向に延びる凸条台座１８ａを突設すると共に、後側中央部には、ロータリカバー１８をミッションケース２の前側に装着する際に、該ミッションケース２との干渉を回避すべく切り欠き１８ｂを設けている。そして、上述したロータリカバー１８は、側面視で正転爪６ａ及び逆転爪６ｂの前側上方から後下がり傾斜となるように、その後部をミッションケース２に、前部を扇状プレート１９に螺設してある（図１及び図２参照）。
【００２０】
更に詳しく説明すると、ロータリカバー１８の左右両端部１８Ｌ，１８Ｒは、中央部１８ｃに対して一段低い段差状に形成してあり、その平面形状は、互いに左右対称で且つそれぞれの前後方向中央から前後端に向かって左右幅が広くなるように形成されている。即ち、ロータリカバー１８の左右両端部１８Ｌ，１８Ｒを、その中央部側１８ｃに対して一段低い段差状に形成することによって、ロータリカバー１８の左右両端部１８Ｌ，１８Ｒのみならず、該ロータリカバー１８全体の剛性を向上させることができる。
【００２１】
そして、上述したロータリカバー１８の左右両端部１８Ｌ，１８Ｒには、合成樹脂製の保護部材３８Ｌ，３８Ｒを着脱自在に取り付けている。この保護部材３８Ｌ，３８Ｒは、同一材質の合成樹脂からなり、且つ同一金型を使用して図５に示す如く互いに同一形状に成形されている。即ち、ロータリカバー１８の左側端部１８Ｌに嵌合状態で取り付けられる左側の保護部材３８Ｌに対して、右側の保護部材３８Ｒは、水平面状に１８０度反転させた姿勢でロータリカバー１８の右側端部１８Ｒに嵌合状態で取り付けることができるようになっている。
【００２２】
具体的には、上述の嵌合時、左右の保護部材３８Ｌ，３８Ｒの下面が、対応するロータリカバー１８の左右両端部１８Ｌ，１８Ｒの上面に当接した状態で、該左右両端部１８Ｌ，１８Ｒ全体を覆い隠すと共に、左右の保護部材３８Ｌ，３８Ｒの上面がロータリカバー１８の中央部１８ｃの上面と連接して単一状の面をなすように構成している。更に、この時、左右の保護部材３８Ｌ，３８Ｒの外側側端縁及び前後端縁の形状が、ロータリカバー１８の左右両端部１８Ｌ，１８Ｒの外側側端縁及び前後端縁に沿うように成形されている。
【００２３】
そして、左右の保護部材３８Ｌ，３８Ｒをロータリカバー１８の左右両端部１８Ｌ，１８Ｒに取り付ける際は、先ず左右の保護部材３８Ｌ，３８Ｒを対応するロータリカバー１８の左右両端部１８Ｌ，１８Ｒに嵌合させ、次に左右の保護部材３８Ｌ，３８Ｒ及びロータリカバー１８の左右両端部１８Ｌ，１８Ｒの前中後３箇所にそれぞれ穿設されている取付孔３９，４１に、計６本のボルトを挿通し、これらのボルトを用いて左右の保護部材３８Ｌ，３８Ｒを対応するロータリカバー１８の左右両端部１８Ｌ，１８Ｒに螺設する。
【００２４】
以上説明したようにして、左右の保護部材３８Ｌ，３８Ｒをロータリカバー１８の左右両端部１８Ｌ，１８Ｒに着脱自在に取り付けることができる。即ち、周辺物等との接触によりキズや破損が生じ易いロータリカバー１８の左右両端部１８Ｌ，１８Ｒに、樹脂製の保護部材３８Ｌ，３８Ｒを着脱自在に取り付けることによって、この保護部材３８Ｌ，３８Ｒにキズや破損が生じた場合は、容易に交換することができるようになり、修理費が安価になると共にロータリカバー１８全体の軽量化も図れる。くわえて、左右の保護部材３８Ｌ，３８Ｒのみを色違いで交換することにより、カラーバリエーションを容易に増やすことができると共に、左右の保護部材３８Ｌ，３８Ｒの色を圃場面に対して目立つ色に設定することにより、耕耘作業の視認性を向上させることも可能である。
【産業上の利用可能性】
【００２５】
本発明は、耕耘カバーが設けられている耕耘装置（耕耘機）全般に適用することができる。
【符号の説明】
【００２６】
４      車輪
５      耕耘装置
１８    耕耘カバー
１８ｃ  中央部側（耕耘カバー）
１８Ｌ  左側端部（耕耘カバー）
１８Ｒ  右側端部（耕耘カバー）
２１    接地輪
３８Ｌ  保護部材（左側）
３８Ｒ  保護部材（左側）
【図１】
2010233492.tif 000003
【図２】
2010233492.tif 000004
【図３】
2010233492.tif 000005
【図４】
2010233492.tif 000006
【図５】
2010233492.tif 000007